(57)【要約】【課題】ハイブリッドディスクの正常な複製を作成することができるバックアップディスク作成方法を提供する。【解決手段】ハイブリッドディスクに記録されているコンテンツ情報のコピーに先だって、ハイブリッドディスクの基板情報に基づいて予め設定されている判断基準とバックアップ用の情報記録媒体の基板情報とに基づいて、情報記録媒体がバックアップディスクに適しているか否かを判断する（ステップ４２３）。これにより、コンテンツ情報にハイブリッドディスク特有の基板情報を使用したプロテクトが掛けられていても正常にコンテンツ情報を再生することが可能なバックアップ用の情報記録媒体を選別することができる。【選択図】  図５
2004241006.tif 000002
【特許請求の範囲】
【請求項１】
読取専用領域と書き込みもしくは書き換え可能領域とを有するハイブリッドディスクのバックアップディスク作成方法であって、
前記ハイブリッドディスクの基板情報に基づいて予め設定されている判断基準とバックアップ用の情報記録媒体の基板情報とに基づいて、前記情報記録媒体がバックアップディスクに適しているか否かを判断する第１工程を含むバックアップディスク作成方法。
【請求項２】
前記判断基準は、前記ハイブリッドディスクの基板情報及び前記情報記録媒体の基板情報において、前記各基板情報に含まれる所定の情報が互いに一致する場合に、前記情報記録媒体がバックアップディスクに適していると判断する基準であることを特徴とする請求項１に記載のバックアップディスク作成方法。
【請求項３】
前記所定の情報は、リードインスタート時間、リードアウトスタート時間、及び記録ストラテジのパラメータのうちの少なくとも一つを含むことを特徴とする請求項２に記載のバックアップディスク作成方法。
【請求項４】
前記情報記録媒体は、読取専用領域と書き込みもしくは書き換え可能領域とを有し、
前記判断の結果、前記情報記録媒体がバックアップディスクに適していると判断された場合に、前記ハイブリッドディスクの読取専用領域及び前記情報記録媒体の読取専用領域において、前記各読取専用領域に記録されている特定情報が互いに一致するか否かを判断する第２工程と；
前記第２工程での判断の結果、前記各読取専用領域に記録されている特定情報が互いに一致する場合に、前記ハイブリッドディスクの書き込みもしくは書き換え可能領域に記録されている情報を前記情報記録媒体の書き込みもしくは書き換え可能領域にコピーする第３工程と；を更に含むことを特徴とする請求項１〜３のいずれか一項に記載のバックアップディスク作成方法。
【請求項５】
前記第２工程での判断の結果、前記各読取専用領域に記録されている特定情報が互いに一致しない場合に、前記情報記録媒体の読取専用領域に記録されている情報が所定のダミーデータであるか否かを判断する第４工程と；
前記第４工程での判断の結果、前記情報記録媒体の読取専用領域に記録されている情報が所定のダミーデータの場合に、前記ハイブリッドディスクの読取専用領域、及び書き込みもしくは書き換え可能領域に記録されている情報を前記情報記録媒体の書き込みもしくは書き換え可能領域にそれぞれコピーする第５工程と；を更に含むことを特徴とする請求項４に記載のバックアップディスク作成方法。
【請求項６】
情報記録装置とともに情報記録システムを構成する情報処理装置で用いられるプログラムであって、
読取専用領域と書き込みもしくは書き換え可能領域とを有するハイブリッドディスクのバックアップディスク作成要求に応じて、バックアップ用の情報記録媒体の基板情報を取得する第１手順と；
前記ハイブリッドディスクの基板情報に基づいて予め設定されている判断基準と前記情報記録媒体の基板情報とに基づいて、前記情報記録媒体がバックアップディスクに適しているか否かを判断する第２手順と；を前記情報処理装置に実行させるプログラム。
【請求項７】
前記判断基準は、前記ハイブリッドディスクの基板情報及び前記情報記録媒体の基板情報において、前記各基板情報に含まれる所定の情報が互いに一致する場合に、前記情報記録媒体がバックアップディスクに適していると判断する基準であることを特徴とする請求項６に記載のプログラム。
【請求項８】
前記情報記録媒体は、読取専用領域と書き込みもしくは書き換え可能領域とを有し、
前記判断の結果、前記情報記録媒体がバックアップディスクに適していると判断された場合に、前記ハイブリッドディスクの読取専用領域及び前記情報記録媒体の読取専用領域において、前記各読取専用領域に記録されている特定情報が互いに一致するか否かを判断する第３手順と；
前記第３手順での判断の結果、前記各読取専用領域に記録されている特定情報が互いに一致する場合に、前記ハイブリッドディスクの書き込みもしくは書き換え可能領域に記録されている情報を前記情報記録媒体の書き込みもしくは書き換え可能領域にコピーする第４手順と；を前記情報処理装置に更に実行させることを特徴とする請求項６又は７に記載のプログラム。
【請求項９】
前記第３手順での判断の結果、前記各読取専用領域に記録されている特定情報が互いに一致しない場合に、前記情報記録媒体の読取専用領域に記録されている情報が所定のダミーデータであるか否かを判断する第５手順と；
前記第５手順での判断の結果、前記情報記録媒体の読取専用領域に記録されている情報が所定のダミーデータの場合に、前記ハイブリッドディスクの読取専用領域、及び書き込みもしくは書き換え可能領域に記録されている情報を前記情報記録媒体の書き込みもしくは書き換え可能領域にそれぞれコピーする第６手順と；を前記情報処理装置に更に実行させることを特徴とする請求項８に記載のプログラム。
【請求項１０】
請求項６〜９のいずれか一項に記載のプログラムが記録されたコンピュータ読み取り可能な記録媒体。
【請求項１１】
情報の記録を行なう情報記録システムであって、
情報の記録を実行する情報記録装置と；
前記情報記録装置に対する各種要求を入力するための入力手段と、前記入力手段を介して入力された読取専用領域と書き込みもしくは書き換え可能領域とを有するハイブリッドディスクのバックアップディスク作成要求に応じて、前記ハイブリッドディスクの基板情報に基づいて予め設定されている判断基準とバックアップ用の情報記録媒体の基板情報とに基づいて、前記情報記録媒体がバックアップディスクに適しているか否かを判断する適否判断手段と、前記適否判断手段の判断結果に基づいて前記バックアップディスク作成要求を許可するか否かを決定する処理手段とを有する情報処理装置と；を備える情報記録システム。
【請求項１２】
前記情報記録媒体は、読取専用領域と書き込みもしくは書き換え可能領域とを有し、前記処理手段は、
前記適否判断手段での判断の結果、前記情報記録媒体がバックアップディスクに適していると判断された場合に、前記ハイブリッドディスクの読取専用領域及び前記情報記録媒体の読取専用領域において、前記各読取専用領域に記録されている特定情報が互いに一致するか否かを判断する第１の判断手段と；
前記第１の判断手段での判断の結果、前記各読取専用領域に記録されている特定情報が互いに一致する場合に、前記バックアップディスク作成要求を許可する第１の複写手段と；を備えることを特徴とする請求項１１に記載の情報記録システム。
【請求項１３】
前記処理手段は、前記第１の判断手段での判断の結果、前記各読取専用領域に記録されている特定情報が互いに一致しない場合に、
前記情報記録媒体の読取専用領域に記録されている情報が所定のダミーデータであるか否かを判断する第２の判断手段と；
前記第２の判断手段での判断の結果、前記情報記録媒体の読取専用領域に記録されている情報が所定のダミーデータの場合に、前記バックアップディスク作成要求を許可する第２の複写手段と；を更に備えることを特徴とする請求項１２に記載の情報記録システム。
【発明の詳細な説明】
【０００１】
【発明の属する技術分野】
本発明は、バックアップディスク作成方法、プログラム及び記録媒体、並びに情報記録システムに係り、更に詳しくは、ハイブリッドディスクのバックアップディスクを作成するための方法、情報記録装置を制御する情報処理装置で用いられるプログラム及び記録媒体、並びに情報記録装置及び情報処理装置を備えた情報記録システムに関する。
【０００２】
【従来の技術】
パーソナルコンピュータ（以下「パソコン」と略述する）は、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、記録用のメディアとしてＣＤ（ｃｏｍｐａｃｔ  ｄｉｓｃ）やＤＶＤ（ｄｉｇｉｔａｌ  ｖｅｒｓａｔｉｌｅ  ｄｉｓｃ）などの大容量の光ディスクが注目されるようになり、その低価格化とともに、光ディスクに情報を記録するための情報記録装置として光ディスク装置が普及するようになった。
【０００３】
従来、アプリケーションソフトウェア、静止画、動画などの、いわゆるコンテンツ情報は、ＣＤ−ＲＯＭなどの媒体に記録（スタンプ）されて配布あるいは販売されるのが一般的である。近年、ＣＤ系の光ディスクとして、例えば図９に示されるように、読取専用領域（以下「ＲＯＭ部」ともいう）と、書き込み可能領域もしくは書き換え可能領域（以下「ＲＡＭ部」ともいう）とを有するハイブリッドディスクが開発され、上記ＣＤ−ＲＯＭの代替メディアとして、ハイブリッドディスクのＲＯＭ部に予め前記コンテンツ情報を書き込んだ状態で配布あるいは販売することが提案されている。なお、以下では、ハイブリッドディスクと区別するために、ＣＤ−ＲＯＭ  、ＣＤ−Ｒ（ＣＤ−ｒｅｃｏｒｄａｂｌｅ）、ＣＤ−ＲＷ（ＣＤ−ｒｅｗｒｉｔａｂｌｅ）などの既存のＣＤ系の光ディスクを総称して、便宜上「既存のＣＤ」と呼ぶこととする。
【０００４】
ハイブリッドディスクには、既存のＣＤとの互換性を確保するために、ファーストセッションをＲＯＭ部としてスタンプし、それ以降の領域をＲＡＭ部として扱うものがある。これにより、ハイブリッドディスクを認識できないシステムにおいても、ハイブリッドディスクをマルチセッション方式で記録された既存のＣＤとして取り扱うことが可能となるので、少なくとも読み取り互換性を確保することが可能となる。また、ハイブリッドディスクと既存のＣＤとを区別するための方法の一つとして、ハイブリッドディスクの所定位置にハイブリッドディスクであることを示す情報をスタンプするという方法が提案されている。
【０００５】
また、ユーザはコンテンツ情報を含むメディアを購入すると、例えばメディアの破損などによりコンテンツ情報が再生不能となる事態に備え、購入したメディア（以下「オリジナルメディア」ともいう）の複製（バックアップディスク）を作成し、オリジナルメディアは使用せずに保管するケースが多く見受けられる。
【０００６】
そこで、メディアの複製を作成するための種々の方法及び装置が提案されている（例えば、特許文献１〜特許文献３参照）。
【０００７】
【特許文献１】
特開平１１−３２８８４６号公報
【特許文献２】
特開２００１−１１８３３１号公報
【特許文献３】
特開２００２−１９０１５７号公報
【０００８】
【発明が解決しようとする課題】
しかしながら、ハイブリッドディスクのバックアップディスクとしてハイブリッドディスクを用いる場合には、記録済みのメディアを一部記録済みのメディアへコピーすることとなり、上記特許文献１〜特許文献３に記載の方法及び装置では、このような場合を考慮していないため、バックアップディスクではＲＯＭ部とＲＡＭ部との情報のリンクができなくなり、情報を正しく再生することができなくなるおそれがあった。
【０００９】
また、バックアップディスクとしてＣＤ−ＲもしくはＣＤ−ＲＷを用いる場合には、例えばコピーできないハイブリッドディスク特有の基板情報（ディスク情報）を使用したプロテクトが前記コンテンツ情報に掛けられているときには、バックアップディスクを作成してもコンテンツ情報の再生ができないことがあった。
【００１０】
本発明は、かかる事情の下になされたもので、その第１の目的は、ハイブリッドディスクの正常な複製を作成することができるバックアップディスク作成方法及び情報記録システムを提供することにある。
【００１１】
また、本発明の第２の目的は、情報記録装置とともに情報記録システムを構成する情報処理装置にて実行され、ハイブリッドディスクの正常な複製を作成することができるプログラム及びそのプログラムが記録された記録媒体を提供することにある。
【００１２】
【課題を解決するための手段】
請求項１に記載の発明は、読取専用領域と書き込みもしくは書き換え可能領域とを有するハイブリッドディスクのバックアップディスク作成方法であって、前記ハイブリッドディスクの基板情報に基づいて予め設定されている判断基準とバックアップ用の情報記録媒体の基板情報とに基づいて、前記情報記録媒体がバックアップディスクに適しているか否かを判断する第１工程を含むバックアップディスク作成方法である。
【００１３】
これによれば、例えばプロテクトに関連する基板情報に関して、バックアップ用の情報記録媒体の基板情報とハイブリッドディスクの基板情報とが一致したときに、情報記録媒体がバックアップディスクに適していると判断されるように予め判断基準を設定する。そして、ハイブリッドディスクに記録されているコンテンツ情報のコピーに先だって、バックアップ用の情報記録媒体がバックアップディスクに適しているか否かを判断すると（第１工程）、コンテンツ情報にハイブリッドディスク特有の基板情報を使用したプロテクトが掛けられていても、正常にコンテンツ情報を再生することができるバックアップ用の情報記録媒体を選別することが可能となる。すなわち、結果としてハイブリッドディスクの正常な複製を作成することができる。
【００１４】
この場合において、前記判断基準としては、種々の基準が考えられ、例えば請求項２に記載のバックアップディスク作成方法の如く、前記判断基準は、前記ハイブリッドディスクの基板情報及び前記情報記録媒体の基板情報において、前記各基板情報に含まれる所定の情報が互いに一致する場合に、前記情報記録媒体がバックアップディスクに適していると判断する基準であることとすることができる。
【００１５】
この場合において、請求項３に記載のバックアップディスク作成方法の如く、前記所定の情報は、リードインスタート時間、リードアウトスタート時間、及び記録ストラテジのパラメータのうちの少なくとも一つを含むこととすることができる。
【００１６】
上記請求項１〜３に記載の各バックアップディスク作成方法において、請求項４に記載のバックアップディスク作成方法の如く、前記情報記録媒体が読取専用領域と書き込みもしくは書き換え可能領域とを有する場合には、前記判断の結果、前記情報記録媒体がバックアップディスクに適していると判断された場合に、前記ハイブリッドディスクの読取専用領域及び前記情報記録媒体の読取専用領域において、前記各読取専用領域に記録されている特定情報が互いに一致するか否かを判断する第２工程と；前記第２工程での判断の結果、前記各読取専用領域に記録されている特定情報が互いに一致する場合に、前記ハイブリッドディスクの書き込みもしくは書き換え可能領域に記録されている情報を前記情報記録媒体の書き込みもしくは書き換え可能領域にコピーする第３工程と；を更に含むこととすることができる。
【００１７】
この場合において、請求項５に記載のバックアップディスク作成方法の如く、前記第２工程での判断の結果、前記各読取専用領域に記録されている特定情報が互いに一致しない場合に、前記情報記録媒体の読取専用領域に記録されている情報が所定のダミーデータであるか否かを判断する第４工程と；前記第４工程での判断の結果、前記情報記録媒体の読取専用領域に記録されている情報が所定のダミーデータの場合に、前記ハイブリッドディスクの読取専用領域、及び書き込みもしくは書き換え可能領域に記録されている情報を前記情報記録媒体の書き込みもしくは書き換え可能領域にそれぞれコピーする第５工程と；を更に含むこととすることができる。
【００１８】
請求項６に記載の発明は、情報記録装置とともに情報記録システムを構成する情報処理装置で用いられるプログラムであって、読取専用領域と書き込みもしくは書き換え可能領域とを有するハイブリッドディスクのバックアップディスク作成要求に応じて、バックアップ用の情報記録媒体の基板情報を取得する第１手順と；前記ハイブリッドディスクの基板情報に基づいて予め設定されている判断基準と前記情報記録媒体の基板情報とに基づいて、前記情報記録媒体がバックアップディスクに適しているか否かを判断する第２手順と；を前記情報処理装置に実行させるプログラムである。
【００１９】
これによれば、本発明のプログラムがメインメモリにロードされ、その先頭アドレスがプログラムカウンタにセットされると、情報処理装置は、読取専用領域と書き込みもしくは書き換え可能領域とを有するハイブリッドディスクのバックアップディスク作成要求に応じて、バックアップ用の情報記録媒体の基板情報を取得し、ハイブリッドディスクの基板情報に基づいて予め設定されている判断基準と情報記録媒体の基板情報とに基づいて、情報記録媒体がバックアップディスクに適しているか否かを判断する。すなわち、本発明のプログラムによれば、情報処理装置に請求項１に記載の発明に係るバックアップディスク作成方法を実行させることができ、これにより、ハイブリッドディスクの正常な複製を作成することが可能となる。
【００２０】
この場合において、前記判断基準としては、種々の基準が考えられ、例えば請求項７に記載のプログラムの如く、前記判断基準は、前記ハイブリッドディスクの基板情報及び前記情報記録媒体の基板情報において、前記各基板情報に含まれる所定の情報が互いに一致する場合に、前記情報記録媒体がバックアップディスクに適していると判断する基準であることとすることができる。
【００２１】
上記請求項６及び７に記載の各プログラムにおいて、請求項８に記載のプログラムの如く、前記情報記録媒体が読取専用領域と書き込みもしくは書き換え可能領域とを有する場合に、前記判断の結果、前記情報記録媒体がバックアップディスクに適していると判断されると、前記ハイブリッドディスクの読取専用領域及び前記情報記録媒体の読取専用領域において、前記各読取専用領域に記録されている特定情報が互いに一致するか否かを判断する第３手順と；前記第３手順での判断の結果、前記各読取専用領域に記録されている特定情報が互いに一致する場合に、前記ハイブリッドディスクの書き込みもしくは書き換え可能領域に記録されている情報を前記情報記録媒体の書き込みもしくは書き換え可能領域にコピーする第４手順と；を前記情報処理装置に更に実行させることとすることができる。
【００２２】
この場合において、請求項９に記載のプログラムの如く、前記第３手順での判断の結果、前記各読取専用領域に記録されている特定情報が互いに一致しない場合に、前記情報記録媒体の読取専用領域に記録されている情報が所定のダミーデータであるか否かを判断する第５手順と；前記第５手順での判断の結果、前記情報記録媒体の読取専用領域に記録されている情報が所定のダミーデータの場合に、前記ハイブリッドディスクの読取専用領域、及び書き込みもしくは書き換え可能領域に記録されている情報を前記情報記録媒体の書き込みもしくは書き換え可能領域にそれぞれコピーする第６手順と；を前記情報処理装置に更に実行させることとすることができる。
【００２３】
請求項１０に記載の発明は、請求項６〜９のいずれか一項に記載のプログラムが記録されたコンピュータ読み取り可能な記録媒体である。
【００２４】
これによれば、請求項６〜９のいずれか一項に記載のプログラムが記録されているために、コンピュータに実行させることにより、ハイブリッドディスクの正常な複製を作成することが可能となる。
【００２５】
請求項１１に記載の発明は、情報の記録を行なう情報記録システムであって、情報の記録を実行する情報記録装置と；前記情報記録装置に対する各種要求を入力するための入力手段と、前記入力手段を介して入力された読取専用領域と書き込みもしくは書き換え可能領域とを有するハイブリッドディスクのバックアップディスク作成要求に応じて、前記ハイブリッドディスクの基板情報に基づいて予め設定されている判断基準とバックアップ用の情報記録媒体の基板情報とに基づいて、前記情報記録媒体がバックアップディスクに適しているか否かを判断する適否判断手段と、前記適否判断手段の判断結果に基づいて前記バックアップディスク作成要求を許可するか否かを決定する処理手段とを有する情報処理装置と；を備える情報記録システムである。
【００２６】
これによれば、入力手段を介してハイブリッドディスクのバックアップディスク作成要求が入力されると、適否判断手段により、バックアップ用の情報記録媒体がバックアップディスクに適しているか否かが判断される。そして、処理手段により適否判断手段での判断結果に基づいてバックアップディスク作成要求を許可するか否かが決定される。そこで、例えばプロテクトに関連する基板情報に関して、バックアップ用の情報記録媒体の基板情報とハイブリッドディスクの基板情報とが一致したときに、情報記録媒体がバックアップディスクに適していると判断されるように予め判断基準を設定する。そして、適否判断を行うと、コンテンツ情報にハイブリッドディスク特有の基板情報を使用したプロテクトが掛けられていても、正常にコンテンツ情報を再生することが可能なバックアップ用の情報記録媒体を選別することができる。すなわち、結果としてハイブリッドディスクの正常な複製を作成することができる。
【００２７】
この場合において、請求項１２に記載の情報記録システムの如く、前記情報記録媒体は、読取専用領域と書き込みもしくは書き換え可能領域とを有し、前記処理手段は、前記適否判断手段での判断の結果、前記情報記録媒体がバックアップディスクに適していると判断された場合に、前記ハイブリッドディスクの読取専用領域及び前記情報記録媒体の読取専用領域において、前記各読取専用領域に記録されている特定情報が互いに一致するか否かを判断する第１の判断手段と；前記第１の判断手段での判断の結果、前記各読取専用領域に記録されている特定情報が互いに一致する場合に、前記バックアップディスク作成要求を許可する第１の複写手段と；を備えることとすることができる。
【００２８】
この場合において、請求項１３に記載の情報記録システムの如く、前記処理手段は、前記第１の判断手段での判断の結果、前記各読取専用領域に記録されている特定情報が互いに一致しない場合に、前記情報記録媒体の読取専用領域に記録されている情報が所定のダミーデータであるか否かを判断する第２の判断手段と；前記第２の判断手段での判断の結果、前記情報記録媒体の読取専用領域に記録されている情報が所定のダミーデータの場合に、前記バックアップディスク作成要求を許可する第２の複写手段と；を更に備えることとすることができる。
【００２９】
【発明の実施の形態】
以下、本発明の一実施形態を図１〜図５に基づいて説明する。図１には、本発明の一実施形態に係る情報記録システム１０の概略構成が示されている。
【００３０】
この図１に示される情報記録システム１０は、情報記録装置としての光ディスク装置２０と、該光ディスク装置２０を制御する情報処理装置としてのホスト８０とを含んで構成されている。なお、図１における接続線は、代表的な信号や情報の流れを示すものであり、各ブロックの接続関係の全てを表すものではない。
【００３１】
前記光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０、及びＲＡＭ４１などを備えている。なお、図１における接続線は、代表的な信号や情報の流れを示すものであり、各ブロックの接続関係の全てを表すものではない。なお、光ディスク装置２０は、一例としてＣＤ系の規格に準拠した情報記録媒体に対応しているものとする。
【００３２】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、受光器５９、及び駆動系（フォーカシングアクチュエータ、トラッキングアクチュエータ及びシークモータ（いずれも図示省略））などを備えている。
【００３３】
前記光源ユニット５１は、波長が７８０ｎｍの光ビームを発光する光源としての半導体レーザ（図示省略）を含んで構成されている。なお、本実施形態では、光源ユニット５１から出射される光ビームの最大強度出射方向を＋Ｘ方向とする。
【００３４】
前記コリメートレンズ５２は、光源ユニット５１の＋Ｘ側に配置され、光源ユニット５１から出射された光ビームを略平行光とする。前記ビームスプリッタ５４は、コリメートレンズ５２の＋Ｘ側に配置され、光ディスク１５からの戻り光を−Ｚ方向に分岐する。前記対物レンズ６０は、ビームスプリッタ５４の＋Ｘ側に配置され、ビームスプリッタ５４を透過した光ビームを集光し、光ディスク１５の記録面に光スポットを形成する。
【００３５】
前記検出レンズ５８は、ビームスプリッタ５４の−Ｚ側に配置され、ビームスプリッタ５４で分岐された戻り光を前記受光器５９の受光面に集光する。受光器５９は、通常の光ピックアップ装置と同様に、ウォブル信号情報、再生データ情報、フォーカスエラー情報及びトラックエラー情報などを含む複数の信号を再生信号処理回路２８に出力する。
【００３６】
前記再生信号処理回路２８は、図３に示されるように、Ｉ／Ｖアンプ２８ａ、サーボ信号検出回路２８ｂ、ウォブル信号検出回路２８ｃ、ＲＦ信号検出回路２８ｄ、及びデコーダ２８ｅなどから構成されている。
【００３７】
前記Ｉ／Ｖアンプ２８ａは受光器５９の出力信号である電流信号を電圧信号に変換する。前記サーボ信号検出回路２８ｂはＩ／Ｖアンプ２８ａの出力信号に基づいてサーボ信号（フォーカスエラー信号やトラックエラー信号）を検出し、サーボコントローラ３３に出力する。前記ウォブル信号検出回路２８ｃはＩ／Ｖアンプ２８ａの出力信号に基づいてウォブル信号を検出する。前記ＲＦ信号検出回路２８ｄはＩ／Ｖアンプ２８ａの出力信号に基づいてＲＦ信号を検出する。
【００３８】
前記デコーダ２８ｅは、ウォブル信号検出回路２８ｃで検出されたウォブル信号からＡＴＩＰ（Ａｂｓｏｌｕｔｅ  Ｔｉｍｅ  Ｉｎ  Ｐｒｅｇｒｏｏｖｅ）情報及び同期信号などを抽出する。ここで抽出されたＡＴＩＰ情報はＣＰＵ４０に出力され、同期信号はエンコーダ２５に出力される。また、デコーダ２８ｅは、ＲＦ信号検出回路２８ｄで検出されたＲＦ信号に対して復号処理及び誤り訂正処理などを行った後、再生データとしてバッファマネージャ３７を介してバッファＲＡＭ３４に格納する。なお、再生データが音楽データの場合にはデコーダ２８ｅからの信号はＤ／Ａコンバータ（図示省略）を介して外部のオーディオ機器などに出力される。
【００３９】
図１に戻り、前記サーボコントローラ３３は、再生信号処理回路２８からのフォーカスエラー信号に基づいてフォーカスずれを補正するための制御信号を生成し、トラックエラー信号に基づいてトラックずれを補正するための制御信号を生成する。各制御信号はサーボコントローラ３３からそれぞれモータドライバ２７に出力される。
【００４０】
前記モータドライバ２７は、サーボコントローラ３３からの各制御信号に応じて光ピックアップ装置のトラッキングアクチュエータ及びフォーカシングアクチュエータを駆動する。すなわち、サーボ信号検出回路２８ｂ、サーボコントローラ３３及びモータドライバ２７によってトラッキング制御及びフォーカス制御が行われる。また、モータドライバ２７は、ＣＰＵ４０の指示に基づいてスピンドルモータ２２及び光ピックアップ装置のシークモータを駆動する。
【００４１】
前記エンコーダ２５は、ＣＰＵ４０の指示に基づいて、バッファＲＡＭ３４に蓄積されているデータをバッファマネージャ３７を介して取り出し、データ変調及びエラー訂正コードの付加などを行ない、光ディスク１５への書き込み信号を生成するとともに、再生信号処理回路２８からの同期信号に同期してレーザコントロール回路２４に出力する。
【００４２】
前記レーザコントロール回路２４は、エンコーダ２５からの書き込み信号及びＣＰＵ４０の指示に基づいて、光ピックアップ装置２３の半導体レーザ出力を制御する制御信号を出力する。
【００４３】
前記インターフェース３８は、ホスト８０との双方向の通信インターフェースであり、ＡＴＡＰＩ（ＡＴ  Ａｔｔａｃｈｍｅｎｔ  Ｐａｃｋｅｔ  Ｉｎｔｅｒｆａｃｅ）、ＳＣＳＩ（Ｓｍａｌｌ  Ｃｏｍｐｕｔｅｒ  Ｓｙｓｔｅｍ  Ｉｎｔｅｒｆａｃｅ）及びＵＳＢ（Ｕｎｉｖｅｒｓａｌ  Ｓｅｒｉａｌ  Ｂｕｓ）等の標準インターフェースに準拠している。
【００４４】
前記ＲＯＭ３９には、ＣＰＵ４０にて解読可能なコードで記述されたプログラムが格納されている。前記ＣＰＵ４０は、ＲＯＭ３９に格納されている上記プログラムに従って上記各部の動作を制御するとともに、制御に必要なデータ等を一時的にＲＡＭ４１に保存する。
【００４５】
前記ホスト８０は、主制御装置８２、ＲＡＭ８３、記録媒体としてのハードディスク（ＨＤＤ）８４、入力手段としての入力装置８５、表示装置８６及びインターフェース８７などを備えている。そして、それぞれは共通のバス８９を介して接続されている。
【００４６】
上記主制御装置８２は、マイクロコンピュータ（以下「ＭＰＵ」という）８２ａ、メインメモリ８２ｂなどを含んで構成され、ホスト８０の全体を制御するとともに、制御に必要なデータ等を一時的に前記ＲＡＭ８３に保存する。
【００４７】
前記インターフェース８７は、光ディスク装置のインターフェース３８と同じ規格に準拠した通信インターフェースであり、インターフェース３８と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００４８】
前記ＨＤＤ８４には、ＭＰＵ８２ａにて解読可能なコードで記述され、後述するハイブリッドディスクのバックアップディスク作成要求に応じて起動される本発明に係るプログラム（以下「バックアップディスク作成プログラム」ともいう）を含むプログラムが格納されている。
【００４９】
前記表示装置８６は、例えばＣＲＴ、液晶ディスプレイ（ＬＣＤ）及びプラズマディスプレイパネル（ＰＤＰ）などを用いた表示部（図示省略）を備え、ＭＰＵ８２ａの指示に基づいて各種情報を表示する。
【００５０】
前記入力装置８５は、例えばキーボード、マウス、タブレット、トラックボール、ライトペン及びタッチパネルのうちの少なくとも１つの入力媒体（図示省略）を備え、ユーザから入力された情報をＭＰＵ８２ａに通知する。なお、入力媒体からの情報はワイヤレス方式で入力されても良い。また、表示装置８６と入力装置８５とが一体化されたものとして、例えばタッチパネル付きＣＲＴなどがある。
【００５１】
光ディスク１５には、基板情報として、リードインスタート時間、リードアウトスタート時間、記録ストラテジのパラメータ等が予め記録されている。リードインスタート時間は、ベンダコードとして各メーカ固有の時間が設定され、またリードアウトスタート時間は記録容量に対応した値が設定されている。なお、これらの基板情報は他の光ディスクにコピーすることができないようになっている。また、ハイブリッドディスクの場合には、基板情報の一つとしてハイブリッドディスクであることを示す情報が前記ＡＴＩＰ情報に含まれるディスク・アプリケーション・コード（Ｄｉｓｃ  Ａｐｐｌｉｃａｔｉｏｎ  Ｃｏｄｅ）に記述されている。
【００５２】
ここで、前述の如く構成される情報記録システム１０において、ユーザの要求に応じて光ディスク１５にデータを記録するときの処理動作について簡単に説明する。
【００５３】
ユーザが入力装置８５を介してデータを特定するとともに記録要求を指示すると、ＭＰＵ８２ａは、記録を要求するコマンド（以下「記録要求コマンド」と略述する）を発行する。この記録要求コマンドはインターフェース８７を介して光ディスク装置２０に送信される。
【００５４】
光ディスク装置２０は、インターフェース３８を介してホスト８０からの記録要求コマンドを受信すると、記録動作に移行する。この光ディスク装置２０における記録動作の概略について以下に説明する。
【００５５】
ＣＰＵ４０は、記録速度に基づいてスピンドルモータ２２の回転を制御するための制御信号をモータドライバ２７に出力するとともに、記録要求コマンドを受信した旨を再生信号処理回路２８に通知する。また、ＣＰＵ４０はホスト８０から受信したデータ（以下、便宜上「ユーザデータ」ともいう）のバッファＲＡＭ３４への蓄積をバッファマネージャ３７に指示する。
【００５６】
光ディスク１５の回転が所定の線速度に達すると、再生信号処理回路２８は、受光器５９の出力信号に基づいてトラックエラー信号及びフォーカスエラー信号を検出し、サーボコントローラ３３に出力する。これにより、前述の如くしてトラックずれ及びフォーカスずれが補正される。なお、フォーカスずれ及びトラックずれの補正は記録処理が終了するまで随時行われる。また、再生信号処理回路２８は、受光器５９の出力信号に基づいてＡＴＩＰ情報を取得し、ＣＰＵ４０に通知する。なお、再生信号処理回路２８は、記録処理が終了するまで所定のタイミング毎にＡＴＩＰ情報を取得し、ＣＰＵ４０に通知する。
【００５７】
ＣＰＵ４０は、ＡＴＩＰ情報に基づいて書き込み開始地点に光ピックアップ装置２３が位置するようにシークモータを制御する信号をモータドライバ２７に出力する。さらに、ＣＰＵ４０は、バッファマネージャ３７からバッファＲＡＭ３４に蓄積されたユーザデータのデータ量が所定の量を超えたとの通知を受けると、エンコーダ２５に書き込み信号の生成を指示する。
【００５８】
また、光ピックアップ装置２３が書き込み開始地点に到達すると、ＣＰＵ４０はエンコーダ２５に通知する。これにより、ユーザデータは、エンコーダ２５、レーザコントロール回路２４及び光ピックアップ装置２３を介して光ディスク１５に書き込まれる。ホスト８０から受信したユーザデータがすべて書き込まれると記録処理を終了する。
【００５９】
次に、情報記録システム１０において、ユーザの要求に応じて光ディスク１５に記録されているファイルデータを再生するときの処理動作について簡単に説明する。
【００６０】
ユーザが入力装置８５を介してファイルを特定するとともに再生要求を指示すると、ＭＰＵ８２ａは、再生を要求するコマンド（以下「再生要求コマンド」と略述する）を発行する。この再生要求コマンドはインターフェース８７を介して光ディスク装置２０に送信される。
【００６１】
光ディスク装置２０は、インターフェース３８を介してホスト８０からの再生要求コマンドを受信すると、再生動作に移行する。この光ディスク装置２０における再生動作の概略について以下に説明する。
【００６２】
ＣＰＵ４０は、再生速度に基づいてスピンドルモータ２２の回転を制御するための制御信号をモータドライバ２７に出力するとともに、再生要求のコマンドを受信した旨を再生信号処理回路２８に通知する。
【００６３】
光ディスク１５の回転が所定の線速度に達すると、前述と同様にしてトラックずれ及びフォーカスずれが補正される。なお、フォーカスずれ及びトラックずれの補正は再生処理が終了するまで随時行われる。
【００６４】
ＣＰＵ４０は、再生信号処理回路２８から所定のタイミング毎に出力されるＡＴＩＰ情報に基づいて、読み出し開始地点に光ピックアップ装置２３が位置するようにシークモータを制御する信号をモータドライバ２７に出力する。
【００６５】
そして、光ピックアップ装置２３が読み出し開始地点に到達すると、ＣＰＵ４０は再生信号処理回路２８に通知する。これにより、再生信号処理回路２８は、受光器５９の出力信号からＲＦ信号を検出し、復号処理、誤り訂正処理等を行った後、再生データとしてバッファＲＡＭ３４に蓄積する。バッファマネージャ３７は、バッファＲＡＭ３４に蓄積された再生データがセクタデータとして揃ったときに、インターフェース３８を介してホスト８０に転送する。
【００６６】
すなわち、光ディスク装置２０は、ホスト８０からの記録要求コマンドに応じて、指定された情報を光ディスク１５の指定領域に記録するとともに、ホスト８０からの再生要求コマンドに応じて、光ディスク１５の指定領域に記録されている情報を再生し、ホスト８０に通知する。
【００６７】
次に、情報記録システム１０において、ユーザの要求に応じてハイブリッドディスクのバックアップディスクを作成するときの処理動作について図４及び図５を用いて説明する。図４及び図５の各フローチャートは、ＭＰＵ８２ａによって実行される一連の処理アルゴリズムに対応している。ユーザが入力装置８５を介してバックアップディスクの作成を指示すると、図４及び図５のフローチャートに対応するプログラムがＨＤＤ８４からメインメモリ８２ｂにロードされるとともに、その先頭アドレスがＭＰＵ８２ａのプログラムカウンタにセットされ、処理がスタートする。
【００６８】
最初のステップ４０１では、バックアップされる光ディスク（以下、便宜上「複製元ディスク」ともいう）の光ディスク装置２０への挿入をユーザに促すためのメッセージを表示装置８６に表示する。
【００６９】
次のステップ４０３では、複製元ディスクが光ディスク装置２０に挿入されているか否かを判断する。光ディスク装置２０から複製元ディスクが挿入されたとの通知を受信すると、ここでの判断は肯定され、ステップ４０５に移行する。
【００７０】
このステップ４０５では、光ディスク装置２０を介して複製元ディスクに記録されているディスク情報を取得する。
【００７１】
次のステップ４０７では、複製元ディスクのディスク情報を参照し、複製元ディスクがハイブリッドディスクであるか否かを判断する。ここで、複製元ディスクがハイブリッドディスクでなければ、ステップ４０７での判断は否定され、複製元ディスクがハイブリッドディスクでない旨を示すメッセージを表示装置８６に表示し、処理を終了する。すなわち、バックアップディスクの作成は行われない。一方、複製元ディスクがハイブリッドディスクであれば、ステップ４０７での判断は肯定され、ステップ４０９に移行する。
【００７２】
このステップ４０９では、光ディスク装置２０を介して複製元ディスクのＲＯＭ部に記録されている情報（Ｒ１とする）、ＲＡＭ部に記録されている情報（ＲＡとする）及び基板情報としてリードインスタート時間（Ｋ１とする）を読み出す。
【００７３】
次のステップ４１１では、複製元ディスクを光ディスク装置２０から排出し、バックアップ先となる光ディスク（以下、便宜上「複製先ディスク」ともいう）の光ディスク装置２０への挿入をユーザに促すためのメッセージを表示装置８６に表示する。
【００７４】
次のステップ４１３では、複製先ディスクが光ディスク装置２０に挿入されているか否かを判断する。光ディスク装置２０から複製先ディスクが挿入されたとの通知を受信すると、ここでの判断は肯定され、ステップ４１５に移行する。
【００７５】
このステップ４１５では、光ディスク装置２０を介して複製先ディスクに記録されているディスク情報を取得する。
【００７６】
次のステップ４１７では、複製先ディスクのディスク情報を参照し、複製先ディスクがハイブリッドディスクであるか否かを判断する。ここで、複製先ディスクがハイブリッドディスクでなければ、ステップ４１７での判断は否定され、複製先ディスクがハイブリッドディスクでない旨を示すメッセージを表示装置８６に表示し、処理を終了する。すなわち、バックアップディスクの作成は行われない。一方、複製先ディスクがハイブリッドディスクであれば、ステップ４１７での判断は肯定され、ステップ４２１に移行する。
【００７７】
このステップ４２１では、光ディスク装置２０を介して複製先ディスクの基板情報としてリードインスタート時間（Ｋ２とする）を取得する。
【００７８】
次のステップ４２３では、複製元ディスクのリードインスタート時間Ｋ１と複製先ディスクのリードインスタート時間Ｋ２とが等しいか否かを判断する。ここで、各リードインスタート時間が互いに異なっていれば、ステップ４２３での判断は否定され、複製先ディスクが不適当である旨を示すメッセージを表示装置８６に表示し、処理を終了する。すなわち、複製先ディスクはバックアップディスクに適していないと判断され、バックアップディスクの作成は行われない。一方、各リードインスタート時間が互いに等しければ、ステップ４２３での判断は肯定され、ステップ４２５に移行する。すなわち、複製先ディスクはバックアップディスクに適していると判断される。
【００７９】
このステップ４２５では、光ディスク装置２０を介して複製先ディスクのＲＯＭ部に記録されている情報（Ｒ２とする）を読み出す。
【００８０】
次のステップ４２７では、Ｒ１とＲ２とが互いに等しいか否かを判断する。ここで、Ｒ１とＲ２とが互いに等しければ、ステップ４２７での判断は肯定され、ステップ４２９に移行する。
【００８１】
このステップ４２９では、光ディスク装置２０を介してＲＡをＲＡＭ部に記録する。すなわち、複製元ディスクのＲＡＭ部に記録されている情報を複製先ディスクのＲＡＭ部にコピーする。そして、バックアップディスクの作成が正常に終了した旨を示すメッセージを表示装置８６に表示し、処理を終了する。
【００８２】
一方、上記ステップ４２７において、Ｒ１とＲ２とが互いに等しくなければ、ステップ４２７での判断は否定され、ステップ４３３に移行する。
【００８３】
このステップ４３３では、Ｒ２が所定のダミーデータであるか否かを判断する。ここで、Ｒ２が所定のダミーデータでなければ、ステップ４３３での判断は否定され、バックアップが不可能である旨を示すメッセージを表示装置８６に表示し、処理を終了する。すなわち、バックアップディスクの作成は行われない。一方、Ｒ２が所定のダミーデータであれば、ステップ４３３での判断は肯定され、ステップ４３５に移行する。
【００８４】
このステップ４３５では、光ディスク装置２０を介してＲ１及びＲＡをＲＡＭ部に記録する。すなわち、複製元ディスクのＲＯＭ部及びＲＡＭ部に記録されている情報を複製先ディスクのＲＡＭ部にコピーする。そして、バックアップディスクの作成が正常に終了した旨を示すメッセージを表示装置８６に表示し、処理を終了する。
【００８５】
以上の説明から明らかなように、本実施形態に係る情報記録システムでは、ＭＰＵ８２ａ及び該ＭＰＵ８２ａによって実行されるプログラムとによって、適否判断手段、第１の判断手段、第１の複写手段、第２の判断手段及び第２の複写手段が実現されている。すなわち、図５のステップ４２３の処理によって適否判断手段が、ステップ４２７の処理によって第１の判断手段が、ステップ４２９の処理によって第１の複写手段が、ステップ４３３の処理によって第２の判断手段が、ステップ４３５の処理によって第２の複写手段が、それぞれ実現されている。
しかしながら、本発明がこれに限定されるものではないことは勿論である。すなわち、上記実施形態は一例に過ぎず、上記のＭＰＵ８２ａによるプログラムに従う処理によって実現した構成各部の少なくとも一部をハードウェアによって構成することとしても良いし、あるいは全ての構成部分をハードウェアによって構成することとしても良い。
【００８６】
そして、図５のステップ４２３の処理によって本発明に係るバックアップディスク作成方法の第１工程が実施され、ステップ４２７の処理によって第２工程が実施され、ステップ４２９の処理によって第３工程が実施され、ステップ４３３の処理によって第４工程が実施され、ステップ４３５の処理によって第５工程が実施されている。
【００８７】
また、本実施形態では、ＨＤＤ８４にインストールされているプログラムのうち、図４及び図５のフローチャートで示される処理に対応するプログラムによって前記バックアップディスク作成プログラムが構成されている。
【００８８】
以上説明したように、本実施形態に係る情報記録システムによると、ホスト８０では、ユーザからハイブリッドディスクのバックアップディスク作成要求があると、ＭＰＵ８２ａによってバックアップディスクの作成処理が実行される。このバックアップディスクの作成処理では、複製元ディスクのリードインスタート時間と複製先ディスクのリードインスタート時間とが互いに一致すると、複製先ディスクはバックアップディスクに適していると判断される。従って、ハイブリッドディスク特有の基板情報を使用したプロテクトが複製元ディスクのコンテンツ情報に掛けられている場合であっても、バックアップディスクにおいて正常に再生することが可能となる。
【００８９】
また、本実施形態によると、複製先ディスクがバックアップディスクに適していると判断された後で、各ＲＯＭ部の情報が互いに一致しているか否かの判断を行っている。通常、複製先ディスクがバックアップディスクに適しているか否かの判断（以下、便宜上「適否判断」ともいう）に要する時間は、各ＲＯＭ部の情報が互いに一致しているか否かの判断（以下、便宜上「ＲＯＭ判断」ともいう）に要する時間よりも非常に短いため、複製先ディスクがバックアップディスクに適していないときには、ＲＯＭ判断の後で適否判断を行う場合に比べて非常に短時間でバックアップが不可能である旨を示すメッセージを表示装置８６に表示することができる。
【００９０】
なお、上記実施形態において、ＲＯＭ部の情報量あるいは記録容量が少ない場合には、ＲＯＭ判断の後で適否判断を行っても良い。
【００９１】
また、上記実施形態では、ＲＯＭ判断において各ＲＯＭ部の情報が互いに一致しないときには、Ｒ２が所定のダミーデータであるか否かの判断（以下、便宜上「ダミーデータ判断」ともいう）を行う場合について説明したが、Ｒ２が所定のダミーデータでないことが明白な場合には、ダミーデータ判断は行わなくても良い。すなわち、上記ステップ４２７において、Ｒ１とＲ２とが互いに等しくなければ、バックアップが不可能である旨を示すメッセージを表示装置８６に表示し、処理を終了しても良い。さらに、Ｒ１及びＲＡをコピーするだけのＲＡＭ容量が複製先ディスクにない場合には、同様にダミーデータ判断は行わなくても良い。
【００９２】
また、上記実施形態では、情報記録システムを構成する光ディスク装置が１台の場合について説明したが、本発明がこれに限定されるものではなく、複数台の光ディスク装置が設けられても良い。一例として２台の光ディスク装置２０ａ、２０ｂが設けられている情報記録システム１０’が図６に示されている。この場合には複製元ディスク用の光ディスク装置と複製先ディスク用の光ディスク装置とを個別に用いることにより、バックアップディスク作成処理の途中でのディスク交換が不要となる。このときのバックアップディスクの作成処理について図７及び図８のフローチャートを用いて簡単に説明する。なお、ここでは複製元ディスク用の光ディスク装置を光ディスク装置２０ａとし、複製先ディスク用の光ディスク装置を光ディスク装置２０ｂとする。また、光ディスク装置２０ａ及び光ディスク装置２０ｂは前記光ディスク装置２０と同等の機能を有するものとする。
【００９３】
最初のステップ５０１では、複製元ディスクの光ディスク装置２０ａへの挿入をユーザに促すためのメッセージを表示装置８６に表示する。
【００９４】
次のステップ５０３では、複製元ディスクが光ディスク装置２０ａに挿入されているか否かを判断する。光ディスク装置２０ａから複製元ディスクが挿入されたとの通知を受信すると、ここでの判断は肯定され、ステップ５０５に移行する。
【００９５】
このステップ５０５では、光ディスク装置２０ａを介して複製元ディスクに記録されているディスク情報を取得する。
【００９６】
次のステップ５０７では、複製元ディスクのディスク情報を参照し、複製元ディスクがハイブリッドディスクであるか否かを判断する。ここで、複製元ディスクがハイブリッドディスクでなければ、ステップ５０７での判断は否定され、複製元ディスクがハイブリッドディスクでない旨を示すメッセージを表示装置８６に表示し、処理を終了する。すなわち、バックアップディスクの作成は行われない。一方、複製元ディスクがハイブリッドディスクであれば、ステップ５０７での判断は肯定され、ステップ５０９に移行する。
【００９７】
次のステップ５０９では、複製先ディスクの光ディスク装置２０ｂへの挿入をユーザに促すためのメッセージを表示装置８６に表示する。
【００９８】
次のステップ５１１では、複製先ディスクが光ディスク装置２０ｂに挿入されているか否かを判断する。光ディスク装置２０ｂから複製先ディスクが挿入されたとの通知を受信すると、ここでの判断は肯定され、ステップ５１３に移行する。
【００９９】
このステップ５１３では、光ディスク装置２０ｂを介して複製先ディスクに記録されているディスク情報を取得する。
【０１００】
次のステップ５１５では、複製先ディスクのディスク情報を参照し、複製先ディスクがハイブリッドディスクであるか否かを判断する。ここで、複製先ディスクがハイブリッドディスクでなければ、ステップ５１５での判断は否定され、複製先ディスクがハイブリッドディスクでない旨を示すメッセージを表示装置８６に表示し、処理を終了する。すなわち、バックアップディスクの作成は行われない。一方、複製先ディスクがハイブリッドディスクであれば、ステップ５１５での判断は肯定され、ステップ５２１に移行する。
【０１０１】
このステップ５２１では、光ディスク装置２０ａを介して複製元ディスクのリードインスタート時間Ｋ１を取得するとともに、光ディスク装置２０ｂを介して複製先ディスクのリードインスタート時間Ｋ２を取得する。
【０１０２】
次のステップ５２３では、Ｋ１とＫ２とが一致するか否かを判断する。ここで、Ｋ１とＫ２とが互いに異なっていれば、ステップ５２３での判断は否定され、複製先ディスクが不適当である旨を示すメッセージを表示装置８６に表示し、処理を終了する。すなわち、複製先ディスクはバックアップディスクに適していないと判断され、バックアップディスクの作成は行われない。一方、各リードインスタート時間が互いに等しければ、ステップ５２３での判断は肯定され、ステップ５２５に移行する。すなわち、複製先ディスクはバックアップディスクに適していると判断される。
【０１０３】
このステップ５２５では、光ディスク装置２０ａを介して複製元ディスクのＲＯＭ部に記録されている情報Ｒ１を取得するとともに、光ディスク装置２０ｂを介して複製先ディスクのＲＯＭ部に記録されている情報Ｒ２を読み出す。
【０１０４】
次のステップ５２７では、Ｒ１とＲ２とが互いに等しいか否かを判断する。ここで、Ｒ１とＲ２とが互いに等しければ、ステップ５２７での判断は肯定され、ステップ５２９に移行する。
【０１０５】
このステップ５２９では、光ディスク装置２０ａを介して複製元ディスクのＲＡＭ部に記録されている情報ＲＡを読み出す。
【０１０６】
次のステップ５３１では、光ディスク装置２０ｂを介してＲＡを複製先ディスクのＲＡＭ部に記録する。そして、バックアップディスクの作成が正常に終了した旨を示すメッセージを表示装置８６に表示し、処理を終了する。
【０１０７】
一方、上記ステップ５２７において、Ｒ１とＲ２とが互いに等しくなければ、ステップ５２７での判断は否定され、ステップ５３３に移行する。
【０１０８】
このステップ５３３では、Ｒ２が所定のダミーデータであるか否かを判断する。ここで、Ｒ２が所定のダミーデータでなければ、ステップ５３３での判断は否定され、バックアップが不可能である旨を示すメッセージを表示装置８６に表示し、処理を終了する。すなわち、バックアップディスクの作成は行われない。一方、Ｒ２が所定のダミーデータであれば、ステップ５３３での判断は肯定され、ステップ５３５に移行する。
【０１０９】
このステップ５３５では、光ディスク装置２０ａを介して複製元ディスクのＲＡＭ部に記録されている情報ＲＡを読み出す。
【０１１０】
次のステップ５３７では、光ディスク装置２０ｂを介してＲ１及びＲＡを複製先ディスクのＲＡＭ部に記録する。そして、バックアップディスクの作成が正常に終了した旨を示すメッセージを表示装置８６に表示し、処理を終了する。
【０１１１】
また、この場合においても、Ｒ２が所定のダミーデータでないことが明白な場合には、ダミーデータ判断は行わなくても良い。すなわち、上記ステップ５２７において、Ｒ１とＲ２とが互いに等しくなければ、バックアップが不可能である旨を示すメッセージを表示装置８６に表示し、処理を終了しても良い。さらに、Ｒ１及びＲＡをコピーするだけのＲＡＭ容量が複製先ディスクにない場合には、同様にダミーデータ判断は行わなくても良い。
【０１１２】
また、上記実施形態では、ディスク交換の回数を１回で済ますために、上記ステップ４０９でＲ１、ＲＡ及びＫ１をまとめて読み出しているが、ディスク交換の回数が１回でなくても良い場合には、必要なときにＲ１、ＲＡ及びＫ１を読み出しても良い。
【０１１３】
また、上記実施形態では、バックアップディスク作成処理のステップ４２７において、複製元ディスクのＲＯＭ部に記録されている情報Ｒ１と複製先ディスクのＲＯＭ部に記録されている情報Ｒ２とが互いに一致するか否かを判断しているが、判断結果に影響しなければ、Ｒ１及びＲ２に含まれる特定情報が一致するか否かを判断しても良い。
【０１１４】
また、上記実施形態では、基板情報としてリードインスタート時間を用いる場合について説明したが、これに限らず、例えばリードアウトスタート時間及び記録ストラテジのパラメータのいずれか一方を用いても良い。さらに、基板情報として、リードインスタート時間、リードアウトスタート時間、及び記録ストラテジのパラメータのうちの少なくとも一つを含む複数の情報を用いても良い。
【０１１５】
また、上記実施形態では、バックアップディスク作成処理のステップ４１７において、複製先ディスクがハイブリッドディスクであるか否かを判断しているが、複製先ディスクが複製元ディスクと所定の互換性を有しているか否かを判断しても良い。
【０１１６】
また、上記実施形態では、光ディスク装置がＣＤ系の規格に準拠した情報記録媒体に対応している場合について説明したが、本発明がこれに限定されるものではない。例えば、ＣＤ系の規格に準拠した情報記録媒体及びＤＶＤ系の規格に準拠した情報記録媒体の両方に対応した光ディスク装置であっても良い。
【０１１７】
また、上記実施形態では、バックアップディスク作成プログラムは、ＨＤＤ８４に記録されているが、他の記録媒体（ＣＤ−ＲＯＭ、光磁気ディスク、フラッシュメモリ、フレキシブルディスク等）に記録されていても良い。この場合には、各記録媒体に対応するドライブ装置を付加し、各ドライブ装置からバックアップディスク作成プログラムをインストールすることとなる。要するに、バックアップディスク作成プログラムがメインメモリ８２ｂにロードされれば良い。
【０１１８】
【発明の効果】
以上説明したように、本発明に係るバックアップディスク作成方法及び情報記録システムによれば、ハイブリッドディスクの正常なバックアップディスクを作成することができるという効果がある。
【０１１９】
また、本発明に係るプログラム及び記録媒体によれば、情報記録装置とともに情報記録システムを構成する情報処理装置にて実行され、ハイブリッドディスクの正常なバックアップディスクを作成することができるという効果がある。
【図面の簡単な説明】
【図１】本発明の一実施形態に係る情報記録システムの概略構成を示すブロック図である。
【図２】図１における光ピックアップ装置の詳細構成を説明するためのブロック図である。
【図３】図１における再生信号処理回路の詳細構成を説明するためのブロック図である。
【図４】図１の情報記録システムにおけるバックアップディスクの作成処理を説明するためのフローチャート（その１）である。
【図５】図１の情報記録システムにおけるバックアップディスクの作成処理を説明するためのフローチャート（その２）である。
【図６】２台の光ディスク装置を備える情報記録システムの概略構成を示すブロック図である。
【図７】図６の情報記録システムにおけるバックアップディスクの作成処理を説明するためのフローチャート（その１）である。
【図８】図６の情報記録システムにおけるバックアップディスクの作成処理を説明するためのフローチャート（その２）である。
【図９】ハイブリッドディスクの構成を説明するための模式図である。
【符号の説明】
１０…情報記録システム、１５…光ディスク（情報記録媒体）、２０…光ディスク装置（情報記録装置）、８０…ホスト（情報処理装置）、８２ａ…ＭＰＵ（適否判断手段、第１の判断手段、第１の複写手段、第２の判断手段、第２の複写手段）、８４…ハードディスク（記録媒体）、８５…入力装置（入力手段）。
【図１】
2004241006.tif 000003
【図２】
2004241006.tif 000004
【図３】
2004241006.tif 000005
【図４】
2004241006.tif 000006
【図５】
2004241006.tif 000007
【図６】
2004241006.tif 000008
【図７】
2004241006.tif 000009
【図８】
2004241006.tif 000010
【図９】
2004241006.tif 000011